(57)【特許請求の範囲】
【請求項１】
枠の軸方向一端側を開口して出力軸を露呈する電動機と、ポンプ本体の軸方向一端側に突出した入力軸の回転駆動で流体を吸入吐出するポンプと、出力軸で入力軸を回転駆動するよう電動機とポンプとを連結するブラケット部材とを備え、ブラケット部材は一側面側に電動機の枠を取り付けて開口を閉塞すると共に出力軸を回転自在に軸支する軸受けを有し、ブラケット部材の一側面側には軸受けの外輪を嵌合する凹部を形成し、軸受けは外輪の凹部との嵌合隙間を内輪の出力軸との嵌合隙間より大きく設け、ブラケット部材の一側面側と対向する他側面側にポンプのポンプ本体を取り付け、さらにブラケット部材には被取付部材に固定する取付脚を有することを特徴とするポンプ一体型電動機装置。
【請求項２】
前記取付脚は前記ブラケット部材へ着脱自在に取付けたことを特徴とする請求項１に記載のポンプ一体型電動機装置。
【発明の詳細な説明】
【技術分野】
【０００１】
本発明は、ポンプを電動機に直結したポンプ一体型電動機装置に関する。
【背景技術】
【０００２】
この種のポンプ一体型電動機装置は、枠の両端部にエンプラを有した電動機とポンプとを結合板を介して固定し、結合板は電動機取付側に電動機を取り付けるインロー径の嵌合部を有して電動機にボルトで固定し、ポンプ取付側にポンプを取り付けるインロー径の穴を有してポンプをボルトで固定し、電動機にポンプを一体型にしている。そして、異なるポンプを取り付ける場合には結合板を変更するのみでよく、電動機は同じものを使用できるようにしている。
【先行技術文献】
【特許文献】
【０００３】
【特許文献１】特開平１０−１４１６９号公報
【発明の概要】
【発明が解決しようとする課題】
【０００４】
ところが、かかる従来のポンプ一体型電動機では、電動機の枠に被取付部に固定する取付脚を形成しているため、取付脚による固定ではなく、例えばフランジによる固定にする場合には、枠の軸方向一端側にフランジを形成した別の電動機に変更しなければならず、電動機の種類が増加して管理が煩雑になる問題点があった。
【０００５】
本発明の課題は、取付脚により取り付けを行う電動機でフランジによる取り付けに変更可能とし、取付脚により固定する電動機とフランジにより固定する電動機との２種類を用意することなくし、電動機の種類を低減して管理の簡素化を図り得るポンプ一体型電動機装置を提供するものである。
【課題を解決するための手段】
【０００６】
かかる課題を達成すべく、本発明は次の手段をとった。即ち、
枠の軸方向一端側を開口して出力軸を露呈する電動機と、ポンプ本体の軸方向一端側に突出した入力軸の回転駆動で流体を吸入吐出するポンプと、出力軸で入力軸を回転駆動するよう電動機とポンプとを連結するブラケット部材とを備え、ブラケット部材は一側面側に電動機の枠を取り付けて開口を閉塞すると共に出力軸を回転自在に軸支する軸受けを有し、ブラケット部材の一側面側には軸受けの外輪を嵌合する凹部を形成し、軸受けは外輪の凹部との嵌合隙間を内輪の出力軸との嵌合隙間より大きく設け、ブラケット部材の一側面側と対向する他側面側にポンプのポンプ本体を取り付け、さらにブラケット部材には被取付部材に固定する取付脚を有することを特徴とするポンプ一体型電動機装置がそれである。
【０００７】
この場合、前記取付脚は前記ブラケット部材へ着脱自在に取付けて有しても良い。
【発明の効果】
【０００８】
以上詳述したように、請求項１に記載の発明は、電動機とポンプとを連結するブラケット部材に被取付部材へ固定する取付脚を有しているため、フランジによる取り付けに変更する場合には、フランジを形成した別のブラケット部材に変更すれば良く、取付脚により固定する電動機とフランジにより固定する電動機との２種類を用意することなくできて共通の電動機で対応でき、電動機の種類を低減して管理の簡素化を図ることができる。また、ブラケット部材は、一側面側に電動機の枠を取り付けて開口を閉塞すると共に出力軸を回転自在に軸支する軸受けを有しているため、従来の電動機における枠の端部に有したエンプラを兼用することができ、部品点数を削減して構成の簡素化を図ることができる。
【０００９】
また、請求項２に記載の発明は、請求項１に記載の発明の効果に加え、取付脚はブラケット部材へ着脱自在に取付けているため、ブラケット部材を電動機およびポンプから取り外すことなく、取付脚を取り外しできるから、取付脚による固定を簡単に変更することもできる。
【図面の簡単な説明】
【００１０】
【図１】本発明の一実施形態を示し、ポンプ一体型電動機の要部を断面で示した正面図である。
【図２】一実施形態に用いるブラケット部材を示し、（ａ）はポンプ本体を取り付ける側の右側面図、（ｂ）は電動機の枠を取付ける側の左側面図である。
【図３】一実施形態に用いる取付脚を示し、（ａ）は平面図、（ｂ）は正面図、（ｃ）は右側面図である。
【図４】他実施形態のポンプ一体型電動機の要部を断面で示した正面図である。
【図５】他実施形態に用いるブラケット部材を示した平面図である。
【発明を実施するための形態】
【００１１】
以下、本発明の一実施形態を図面に基づき説明する。
図１において、１は電動機で、円筒状の枠２の軸方向一端側を開口し、枠２の軸方向他端側をカバー３で閉塞し、枠２の内部に回転自在に軸支した出力軸４を枠２の軸方向一端側開口に露呈し、枠２の軸方向一端側には円周状の窪み部２Ａを形成している。出力軸４は端部に軸受け１２の内輪を嵌合すると共に、先端に直線状の凹部４Ａを窪み形成している。５はポンプで、ポンプ本体６の内部に回転自在に軸支した入力軸７をポンプ本体６の軸方向一端側に突出し、ポンプ本体６の軸方向他端側に複数のボルト部材８で蓋部材９を装着し、入力軸７を回転駆動することでポンプ本体６内部に有する図示しないポンプ機構で流体を吸入吐出する。ポンプ本体６は軸方向一端側に円柱状の凸部６Ａを形成している。入力軸７は先端に矩形状の凸部７Ａを形成している。１０は電動機１とポンプ５とを連結するブラケット部材で、一側面側としての図１の左側面１１側に電動機１の枠２を図示しない複数のボルト部材により取り付けて開口を閉塞すると共に、出力軸４を回転自在に軸支する軸受け１２を有している。
【００１２】
図２（ｂ）に示すように、ブラケット部材１０の左側面１１には、外周側に環状の凸部１１Ａを形成し、枠２の取り付けで窪み部２Ａにインローで嵌合している。また、左側面１１の径方向中心部には、凹部１１Ｂを形成し、軸受け１２の外輪を嵌合している。凹部１１Ｂ底面に中心孔１１Ｃを貫通形成して出力軸４を挿通している。軸受け１２は外輪の凹部１１Ｂとの嵌合隙間を内輪の出力軸４との嵌合隙間より大きく設けている。１１Ｄは左側面１１の凸部１１Ａに穿設したねじ孔で、円周方向へ等間隔に４個設け、枠２を取り付ける前記図示しない複数のボルト部材を螺着する。枠２のブラケット部材１０への取り付けは次のとおりとなる。出力軸４の端部に軸受け１２の内輪を嵌合した状態で、枠２の窪み部２Ａにブラケット部材１０の凸部１１Ａをインローで嵌合すると、軸受け１２の外輪が凹部１１Ｂに嵌合すると共に、出力軸４が中心孔１１Ｃを挿通して先端を突出する。
【００１３】
ブラケット部材１０は、左側面１１側と対向する他側面側としての図１の右側面１３側にポンプ本体６を、蓋部材９をポンプ本体６に装着する複数のボルト部材８を兼用して取り付ける。図２（ａ）に示すように、ブラケット部材１０の右側面１３には、略四方形の凸部１３Ａを突出形成し、凸部１３Ａには大径孔１３Ｂと中径孔１３Ｃと小径孔１３Ｄとを突出側端面から連続して穿設し、小径孔１３Ｄの底面には中心孔１１Ｃを開口している。凸部１３Ａには大径孔１３Ｂの径方向外方で、略四方形の四隅にねじ孔１３Ｅを穿設している。ポンプ本体６は凸部６Ａを大径孔１３Ｂにインローで嵌合し、複数のボルト部材８をねじ孔１３Ｅに螺着して取り付ける。１４は出力軸４と入力軸７とを連結するオルダム継手で、出力軸４の凹部４Ａに係合する矩形状のキー部１４Ａを一側面に突出形成すると共に、一側面と対向する他側面に入力軸７の凸部７Ａを係合する凹部１４Ｂを窪み形成している。ポンプ本体６のブラケット部材１０への取り付けは次のとおりとなる。電動機１をブラケット部材１０に取付けた状態で、オルダム継手１４を出力軸４に係合し、ポンプ本体６の凸部６Ａを大径孔１３Ｂにインローで嵌合すると、入力軸７先端の凸部７Ａがオルダム継手１４の凹部１４Ｂに係合する。図２（ａ）（ｂ）に示すように、ブラケット部材１０は、上方を電動機１の枠２の外径より若干大径の半円弧状に形成すると共に、下方を平坦状に形成し、平坦状の中央部に下方へ突出して円弧部１０Ａを形成している。また、ブラケット部材１０は下方の平坦部に２個のねじ孔１０Ｂを穿設している。
【００１４】
１５は図示しない被取付部材に固定する取付脚で、ブラケット部材１０の下方に着脱自在に有している。図３（ａ）〜（ｃ）に示すように、取付脚１５は平面で略Ｈ字状に形成し、本体部１５Ａと、本体部１５Ａの両端から本体部１５Ａと直交方向へ伸長する２個の脚部１５Ｂ、１５Ｃとから構成している。本体部１５Ａにはブラケット部材１０へ取り付けるためにねじ孔１０Ｂに螺着する図示しないボルト部材を挿通する２個の挿通孔１５Ｄを貫通形成すると共に、ブラケット部材１０への取り付けで円弧部１０Ａと係合する円弧状の凹部１５Ｅを窪み形成している。各脚部１５Ｂ、１５Ｃには被取付部材に固定する図示しないボルト部材を挿通する取付孔１５Ｆをそれぞれ２個で合計４個を貫通形成している。ブラケット部材１０に取り付けて有した取付脚１５は、各脚部１５Ｂ、１５Ｃの一端側を電動機１の下方に位置していると共に、各脚部１５Ｂ、１５Ｃの一端側と対向する他端側をポンプ５の下方に位置している。
【００１５】
次に、かかる構成の作動を説明する。
図１に示す状態で、電動機１を通電すると、出力軸４が回転して入力軸７を回転駆動し、ポンプ５はポンプ作動して流体を吸入吐出する。そして、電動機１を非通電にすると、出力軸４の回転が止まり、ポンプ５はポンプ作動を停止する。
【００１６】
かかる作動において、電動機１とポンプ５とを連結するブラケット部材１０に被取付部材へ固定する取付脚１５を有しているため、フランジによる取り付けに変更する場合には、フランジを形成した別のブラケット部材に変更すれば良く、取付脚により固定する電動機とフランジにより固定する電動機との２種類を用意することなくできて共通の電動機で対応でき、電動機の種類を低減して管理の簡素化を図ることができる。
【００１７】
また、ブラケット部材１０は、左側面１１側に電動機１の枠２を取り付けて開口を閉塞すると共に出力軸４を回転自在に軸支する軸受け１２を有しているため、従来の電動機における枠の端部に有したエンプラを兼用することができ、部品点数を削減して構成の簡素化を図ることができる。
【００１８】
また、取付脚１５はブラケット部材１０へ着脱自在に取付けているため、ブラケット部材１０を電動機１およびポンプ５から取り外すことなく、取付脚１５を取り外しできるから、取付脚１５による固定を簡単に変更することもできる。
【００１９】
また、ブラケット部材１０に有した取付脚１５は、一端側を電動機１の下方に位置すると共に、他端側をポンプ５の下方に位置しているため、電動機の枠に取付脚を形成している従来のものに比し、ポンプ５が大型であったり、またはポンプ５に弁等を搭載したりして大重量であっても、被取付部材への固定状態を安定して得られ、ポンプ５を支持する別の支持部材を不要にできる。
【００２０】
図４および図５は本発明の他実施形態を示し、一実施形態と同一個所には同符号を付して説明を省略し、異なる個所についてのみ説明する。
図４および図５において、電動機１とポンプ５とを連結するブラケット部材２０は取付脚２１を一体形成して有している。取付脚２１は２個の脚部２１Ｂ、２１Ｃから構成し、各脚部２１Ｂ、２１Ｃはブラケット部材２０の下方から伸長して電動機１の下方に位置している。
【００２１】
作動は一実施形態と同様で、この作動において、一実施形態と同様に、電動機１とポンプ５とを連結するブラケット部材２０に被取付部材へ固定する取付脚２１を有しているため、フランジによる取り付けに変更する場合には、フランジを形成した別のブラケット部材に変更すれば良く、取付脚により固定する電動機とフランジにより固定する電動機との２種類を用意することなくできて共通の電動機で対応でき、電動機の種類を低減して管理の簡素化を図ることができる。
【００２２】
また、ブラケット部材１０は、一実施形態と同様に、従来の電動機における枠の端部に有したエンプラを兼用することができ、部品点数を削減して構成の簡素化を図ることができる。
【符号の説明】
【００２３】
１：電動機
２：枠
４：出力軸
５：ポンプ
６：ポンプ本体
７：入力軸
１０、２０：ブラケット部材
１１：左側面（一側面）
１２：軸受け
１３：右側面（他側面）
１５、２１：取付脚
【図１】
0005852395.tif 000002
【図２】
0005852395.tif 000003
【図３】
0005852395.tif 000004
【図４】
0005852395.tif 000005
【図５】
0005852395.tif 000006